(57)【要約】  ガラス製造機器および方法が提供される。当該方法は、ａ）ある幅を有するガラスリボンを形成するステップと、ｂ）少なくとも一対の引取ロールと少なくとも一対の駆動装置とを含む引出ロール装置を操作するステップであって、当該少なくとも一対の引取ロールが第一引取ロールおよび第二引取ロールを含み、当該少なくとも一対の駆動装置が、当該幅に対して横方向に延在する引取経路に沿ってガラスリボンを引き取るために、第一引取ロールを駆動する第一駆動装置と、第二引取ロールを駆動する第二駆動装置とを含み、この場合、第一引取ロールは、ガラスリボンの一方の表面を引き取るように第一回転条件において回転し、第二引取ロールは、ガラスリボンの他方の表面を引き取るように第二回転条件において回転する、ステップと、ｃ）第一引取ロールを駆動するために第一駆動装置に供給される第一駆動電流および第二引取ロールを駆動するために第二駆動装置に供給される第二駆動電流が、実質的にお互いに異なるか否かを特定するステップと、ｄ）第一および第二駆動電流が実質的にお互いに異なると特定された場合に、第一および第二回転条件の少なくとも一方を変更するステップと、を含む。【特許請求の範囲】
【請求項１】
ａ）ある幅を有するガラスリボンを形成するステップと、
ｂ）少なくとも一対の引取ロールを含む引出ロール装置を操作するステップであって、該少なくとも一対の引取ロールが、該幅に対して横方向に延在する引取経路に沿って該ガラスリボンを引き取るために、第一引取ロールおよび第二引取ロールを含み、この場合、該第一引取ロールは、第一引取条件において該ガラスリボンの一方の表面を引き取るように第一回転条件において回転し、該第二引取ロールは、第二引取条件において該ガラスリボンの他方の表面を引き取るように第二回転条件において回転する、ステップと、
ｃ）該第一および第二引取条件が実質的にお互いに異なるか否かを評価するステップと、
ｄ）該第一および第二引取条件が実質的にお互いに異なると評価された場合に、該第一および第二引取条件の間の差を減らすように、該第一および第二回転条件の少なくとも一方を変更するステップと
を含む、ガラスリボンを製造する方法。
【請求項２】
前記引出ロール装置がさらに、前記第一回転条件において回転するように前記第一引取ロールを駆動するための第一駆動装置と、前記第二回転条件において回転するように前記第二引取ロールを駆動するための第二駆動装置とを含み、
前記第一引取条件が、該第一引取ロールが前記ガラスリボンの該一方の表面を引き取る第一引取力を含み、ならびに、前記第二引取条件が、該第二引取ロールが該ガラスリボンの該他方の表面を引き取る第二引取力を含み、
該第一および第二回転条件が、それぞれ、該第一および第二引取ロールの所定の角速度を含み、
ステップｃ）が、
ｃ１）該第一引取ロールを駆動するために該第一駆動装置に供給される第一駆動電流と、該第二引取ロールを駆動するために該第二駆動装置に供給される第二駆動電流とをモニターするステップと、
ｃ２）該第一駆動電流と該第二駆動電流との間の差が所定の範囲を超える場合に、該第一引取力と該第二引取力が実質的にお互いに異なると評価するステップと
を含み、
ステップｄ）が、該第一および第二引取ロールのうちのより低い駆動電流によって駆動される方の引取ロールの該所定の角速度を増加させるステップを含む
請求項１記載の方法。
【請求項３】
前記引出ロール装置がさらに、前記第一回転条件において回転するように前記第一引取ロールを駆動するための第一駆動装置と、前記第二回転条件において回転するように前記第二引取ロールを駆動するための第二駆動装置とを含み、
前記第一引取条件が、該第一引取ロールが前記ガラスリボンの該片方の表面を引き取る第一引取力を含み、ならびに、前記第二引取条件が、該第二引取ロールが該ガラスリボンの該他方の表面を引き取る第二引取力を含み、
該第一および第二回転条件が、それぞれ、該第一および第二引取ロールの所定の角速度を含み、
ステップｃ）が、
ｃ１）該第一引取ロールを駆動するために該第一駆動装置に供給される第一駆動電流と、該第二引取ロールを駆動するために該第二駆動装置に供給される第二駆動電流とをモニターするステップと、
ｃ２）該第一駆動電流と該第二駆動電流との間の差が所定の範囲を超える場合に、該第一引取力と該第二引取力が実質的にお互いに異なると評価するステップと
を含み、
ステップｄ）が、
ｄ１）該第一および第二引取ロールのうちのより低い駆動電流によって駆動される方の引取ロールの所定の直径を減らすステップと、
ｄ２）該一方の引取ロールの該所定の直径の該減少に応じて、該一方の引取ロールの該所定の角速度を、その該所定の直径の関数として増加させるステップと
を含む、
請求項１または２記載の方法。
【請求項４】
前記引出ロール装置がさらに、前記第一回転条件において回転するように前記第一引取ロールを駆動するための第一駆動装置と、前記第二回転条件において回転するように前記第二引取ロールを駆動するための第二駆動装置とを含み、
前記第一引取条件が、該第一引取ロールが前記ガラスリボンの該一方の表面を引き取る第一引取速度を含み、ならびに、前記第二引取条件が、該第二引取ロールが該ガラスリボンの該他方の表面を引き取る第二引取速度を含み、
該第一および第二回転条件が、それぞれ、該第一および第二引取ロールの所定の角速度を含み、
ステップｃ）が、
ｃ１）該第一引取ロールを駆動するために該第一駆動装置に供給される第一駆動電流と、該第二引取ロールを駆動するために該第二駆動装置に供給される第二駆動電流とをモニターするステップと、
ｃ２）該第一駆動電流と該第二駆動電流との間の差が所定の範囲を超える場合に、該第一引取速度と該第二引取速度が実質的にお互いに異なると評価するステップと
を含み、
ステップｄ）が、該第一および第二引取ロールのうちのより低い駆動電流によって駆動される方の引取ロールの該所定の角速度を増加させるステップを含む、
請求項１〜３のいずれか一項記載の方法。
【請求項５】
前記引出ロール装置がさらに、前記第一回転条件において回転するように前記第一引取ロールを駆動するための第一駆動装置と、前記第二回転条件において回転するように前記第二引取ロールを駆動するための第二駆動装置とを含み、
前記第一引取条件が、該第一引取ロールが前記ガラスリボンの該一方の表面を引き取る第一引取速度を含み、ならびに、前記第二引取条件が、該第二引取ロールが該ガラスリボンの該他方の表面を引き取る第二引取速度を含み、
該第一および第二回転条件が、それぞれ、該第一および第二引取ロールの所定の角速度を含み、
ステップｃ）が、
ｃ１）該第一引取ロールを駆動するために該第一駆動装置に供給される第一駆動電流と、該第二引取ロールを駆動するために該第二駆動装置に供給される第二駆動電流とをモニターするステップと、
ｃ２）該第一駆動電流と該第二駆動電流との間の差が所定の範囲を超える場合に、該第一引取速度と該第二引取速度が実質的にお互いに異なると評価するステップと
を含み、
ステップｄ）が、
ｄ１）該第一および第二引取ロールのうちのより低い駆動電流によって駆動される方の引取ロールの所定の直径を減らすステップと、
ｄ２）該一方の引取ロールの該所定の直径の該減少に応じて、該一方の引取ロールの該所定の角速度を、その該所定の直径の関数として増加させるステップと
を含む、
請求項１〜４のいずれか一項記載の方法。
【請求項６】
ある幅を有するガラスリボンを形成するように構成された成形装置と、
該幅に対して横方向に延在する引取経路に沿って該成形装置から該ガラスリボンを引き取るように構成された引出ロール装置であって、少なくとも一対の引取ロールと少なくとも一対の駆動装置とを含み、該少なくとも一対の引取ロールが第一引取ロールおよび第二引取ロールを含み、該少なくとも一対の駆動装置が、該第一引取ロールを駆動するための第一駆動装置と、該第二引取ロールを駆動するための第二駆動装置とを含む、引出ロール装置と、
制御装置であって、
該第一引取ロールが、第一引取条件において該ガラスリボンの一方の表面を引き取るように第一回転条件において回転し、該第二引取ロールが、第二引取条件において該ガラスリボンの他方の表面を引き取るように第二回転条件において回転するように、該引出ロール装置を操作し、
該第一引取ロールを駆動するために該第一駆動装置に供給される第一駆動電流と、該第二引取ロールを駆動するために該第二駆動装置に供給される第二駆動電流とが、実質的にお互いに異なるか否かを特定し、ならびに
該第一駆動電流と該第二駆動電流とが実質的にお互いに異なると特定された場合に、該第一および第二回転条件の少なくとも一方を変更する
ように構成された制御装置と
を含むガラス製造機器。
【請求項７】
前記制御装置が、前記第一および第二駆動電流が所定の範囲を超える場合に前記第一および第二引取条件が実質的にお互いに異なると評価するように構成される、請求項６記載のガラス製造機器。
【請求項８】
前記制御装置が、
一定の間隔において、それぞれ、前記第一駆動装置に供給される一連の第一駆動電流と、前記第二駆動装置に供給される一連の第二駆動電流とをモニターし、
該一連の第一駆動電流および該一連の第二駆動電流を平均し、ならびに
それぞれ、該一連の第一駆動電流の平均と該一連の第二駆動電流の平均とを、第一駆動電流および第二駆動電流として使用して、前記特定を実施する
ように構成される、
請求項６または７記載のガラス製造機器。
【請求項９】
前記第一および第二回転条件が、それぞれ、前記第一および第二引取ロールの所定の角速度を含み、
前記制御装置が、該第一および第二引取ロールのうちのより低い駆動電流によって駆動される方の引取ロールの該所定の角速度を増加させるように構成される、
請求項６〜８のいずれか一項記載のガラス製造機器。
【請求項１０】
さらに、前記ガラスリボンから少なくとも１枚のガラスシートを分離するように構成されるシート分離装置であって、該シート分離装置が該ガラスリボンに接触している分離期間と、該シート分離装置が該ガラスリボンから離れている準備期間とを有する、シート分離装置を含み、
前記制御装置が、
該シート分離装置の該準備期間に前記第一および第二駆動電流をモニターし、ならびに
該シート分離装置の該準備期間にモニターされた該第一および第二駆動電流を使用して前記特定を実施する
ように構成される、
請求項６〜９のいずれか一項記載のガラス製造機器。
【発明の詳細な説明】
【関連出願の相互参照】
【０００１】
本出願は、米国特許法第１１９条の下、２０１６年５月２３日に出願された韓国公開特許第２０１６／００６３０４９号に対する優先権の恩典を主張するものであり、なお、本出願は当該韓国公開特許の内容に依拠し、ならびに当該韓国公開特許の全体が参照により本明細書に組み入れられる。
【技術分野】
【０００２】
本開示は、概して、ガラス製造機器および方法に関する。より詳しくは、本開示は、少なくとも一対の引取ロールを使用してガラスリボンを引き取ることによってガラスシートを製造するためのガラス製造機器および方法に関する。
【背景技術】
【０００３】
フュージョン法（例えば、オーバーフローダウンドロー法）は、様々な装置、例えば、フラットパネルディスプレイなど、において使用することができる薄く高品質のガラスシートを形成するための方法として知られている。当該フュージョン法は、他の方法を使用して製造されたガラスシートと比較した場合に優れた表面平坦性および平滑性を有するガラスシートが製造されるため、フラットパネルディスプレイにおいて使用されるガラスシートを製造するための好ましい技術である。
【発明の概要】
【発明が解決しようとする課題】
【０００４】
上記において説明されるようなフュージョン法を使用するガラス製造機器を含む、いくつかのガラス製造機器は、一対の引取ロールの間においてガラスリボンを引き取ることによってガラスリボンを形成する。そのような引取ロールが、長期間にわたって使用される場合、一致する２つの引取ロールの引取条件および／または摩耗量の間に差が生じ得る。この差は、製品の品質に対して悪影響を有し得る。したがって、この問題を克服する新規の解決策が望まれている。
【課題を解決するための手段】
【０００５】
本開示の様々な態様は、一致する引取ロールの引取条件における差を減らし、および／または一致する引取ロールの摩耗量における差を補い、それにより、優れた品質を有するガラスリボンを製造することを意図する。
【０００６】
ある態様により、ガラスリボンを製造する方法は、
ａ）ある幅を有するガラスリボンを形成するステップと、
ｂ）少なくとも一対の引取ロールを含む引出ロール装置を操作するステップであって、当該少なくとも一対の引取ロールが、当該幅に対して横方向に延在する引取経路に沿ってガラスリボンを引き取るために、第一引取ロールと第二引取ロールとを含み、この場合、当該第一引取ロールは、第一引取条件においてガラスリボンの一方の表面を引き取るように第一回転条件において回転し、当該第二引取ロールは、第二引取条件においてガラスリボンの他方の表面を引き取るように第二回転条件において回転する、ステップと、
ｃ）第一および第二引取条件が実質的にお互いに異なるか否かを評価するステップと、
ｄ）第一および第二引取条件が実質的にお互いに異なると評価された場合に、第一および第二引取条件の間の差を減らすように、第一および第二回転条件の少なくとも一方を変更するステップと、
を含み得る。
【０００７】
別の態様により、ガラスリボンを製造する方法は、
ａ）ある幅を有するガラスリボンを形成するステップと、
ｂ）少なくとも一対の引取ロールを含む引出ロール装置を操作するステップであって、当該少なくとも一対の引取ロールが、当該幅に対して横方向に延在する引取経路に沿ってガラスリボンを引き取るために、第一引取ロールと第二引取ロールとを含み、この場合、第一引取ロールは、ガラスリボンの一方の表面を引き取るように第一回転条件において回転し、第二引取ロールは、ガラスリボンの他方の表面を引き取るように第二回転条件において回転する、ステップと、
ｃ）第一引取ロールが摩滅した第一引取ロールの第一摩耗量が、第二引取ロールが摩滅した第二引取ロールの第二摩耗量と実質的に異なるか否かを評価するステップと、
ｄ）第一摩耗量および第二摩耗量が実質的にお互いに異なると評価された場合に、第一摩耗量と第二摩耗量との間の差を補うために第一および第二回転条件の少なくとも一方を変更するステップと
を含み得る。
【０００８】
さらなる別の態様により、引取条件を評価する方法は、
ａ）少なくとも一対の引取ロールと少なくとも一対の駆動装置とを含む引出ロール装置を操作するステップであって、当該少なくとも一対の引取ロールが第一引取ロールおよび第二引取ロールを含み、当該少なくとも一対の駆動装置が、ある幅を有するシートを当該幅に対して横方向に延在する引取経路に沿って引き取るために、第一引取ロールを駆動する第一駆動装置と第二引取ロールを駆動する第二駆動装置とを含み、この場合、当該第一引取ロールは、第一引取条件において当該シートの一方の表面を引き取るように回転し、当該第二引取ロールは、第二引取条件において当該シートの他方の表面を引き取るように回転する、ステップと、
ｂ）第一引取ロールを駆動するために第一駆動装置に供給される第一駆動電流と第二引取ロールを駆動するために第二駆動装置に供給される第二駆動電流とをモニターするステップと、
ｃ）第一および第二駆動電流に基づいて第一および第二引取条件を評価するステップと
を含み得る。
【０００９】
さらなる別の態様により、引取ロールの摩耗量を評価する方法は、
ａ）少なくとも一対の引取ロールと少なくとも一対の駆動装置とを含む引出ロール装置を操作するステップであって、当該少なくとも一対の引取ロールが第一引取ロールおよび第二引取ロールを含み、当該少なくとも一対の駆動装置が、ある幅を有するシートを当該幅に対して横方向に延在する引取経路に沿って引き取るために、第一引取ロールを駆動する第一駆動装置と第二引取ロールを駆動する第二駆動装置とを含み、この場合、第一引取ロールは、当該シートの一方の表面を引き取るように回転し、第二引取ロールは、当該シートの他方の表面を引き取るように回転する、ステップと、
ｂ）第一引取ロールを駆動するために第一駆動装置に供給される第一駆動電流と第二引取ロールを駆動するために第二駆動装置に供給される第二駆動電流とをモニターするステップと、
ｃ）第一および第二駆動電流に基づいて、第一引取ロールが摩滅した第一引取ロールの第一摩耗量と、第二引取ロールが摩滅した第二引取ロールの第二摩耗量とを評価するステップと
を含み得る。
【００１０】
さらなる別の態様により、ガラスリボンを製造する方法は、
ｂ）ある幅を有するガラスリボンを形成するステップと、
ｃ）少なくとも一対の引取ロールと少なくとも一対の駆動装置とを含む引出ロール装置を操作するステップであって、当該少なくとも一対の引取ロールが第一引取ロールおよび第二引取ロールを含み、当該少なくとも一対の駆動装置が、当該幅に対して横方向に延在する引取経路に沿ってガラスリボンを引き取るために、第一引取ロールを駆動する第一駆動装置と、第二引取ロールを駆動する第二駆動装置とを含み、この場合、第一引取ロールは、ガラスリボンの一方の表面を引き取るように第一回転条件において回転し、第二引取ロールは、ガラスリボンの他方の表面を引き取るように第二回転条件において回転する、ステップと、
ｄ）第一引取ロールを駆動するために第一駆動装置に供給される第一駆動電流と、第二引取ロールを駆動するために第二駆動装置に供給される第二駆動電流が、実質的にお互いに異なるか否かを特定するステップと、
ｅ）第一および第二駆動電流が実質的にお互いに異なると特定された場合に、第一および第二回転条件の少なくとも一方を変更するステップと、
を含み得る。
【００１１】
さらなる別の態様により、ガラス製造機器は、
ある幅を有するガラスリボンを形成するように構成された成形装置と、
当該幅に対して横方向に延在する引取経路に沿って当該成形装置からガラスリボンを引き取るように構成された引出ロール装置であって、少なくとも一対の引取ロールと少なくとも一対の駆動装置とを含み、当該少なくとも一対の引取ロールが第一引取ロールおよび第二引取ロールを含み、当該少なくとも一対の駆動装置が、第一引取ロールを駆動するための第一駆動装置と第二引取ロールを駆動するための第二駆動装置とを含む、引出ロール装置と、
制御装置であって、
第一引取ロールが、第一引取条件においてガラスリボンの一方の表面を引き取るように第一回転条件において回転し、第二引取ロールが、第二引取条件においてガラスリボンの他方の表面を引き取るように第二回転条件において回転するように、当該引出ロール装置を操作し、
第一引取ロールを駆動するために第一駆動装置に供給される第一駆動電流と第二引取ロールを駆動するために第二駆動装置に供給される第二駆動電流が、実質的に、お互いに異なるか否かを特定し、ならびに
第一駆動電流および第二駆動電流が実質的にお互いに異なると特定された場合に、第一および第二回転条件の少なくとも一方を変更する
ように構成された制御装置と
を含み得る。
【００１２】
さらなる別の態様により、引出ロール機器は、
ある幅を有するガラスリボンを当該幅に対して横方向に延在する引取経路に沿って引き取るように構成された引出ロール装置であって、少なくとも一対の引取ロールと少なくとも一対の駆動装置とを含み、当該少なくとも一対の引取ロールが第一引取ロールおよび第二引取ロールを含み、当該少なくとも一対の駆動装置が、第一引取ロールを駆動するための第一駆動装置と第二引取ロールを駆動するための第二駆動装置とを含む、引出ロール装置と、
制御装置であって、
第一引取ロールが、第一引取条件においてガラスリボンの一方の表面を引き取るように第一回転条件において回転し、第二引取ロールが第二引取条件においてガラスリボンの他方の表面を引き取るように第二回転条件において回転するように、当該引出ロール装置を操作し、
第一引取ロールを駆動するために第一駆動装置に供給される第一駆動電流と第二引取ロールを駆動するために第二駆動装置に供給される第二駆動電流が、実質的に、お互いに異なるか否かを特定し、ならびに
第一駆動電流および第二駆動電流が実質的にお互いに異なると特定された場合に、第一および第二回転条件の少なくとも一方を変更する
ように構成された制御装置と
を含み得る。
【図面の簡単な説明】
【００１３】
本開示の上記および他の目的、特徴、および利点は、添付図面と併せて読む場合に、以下の詳細な説明からより明確に理解されるであろう。
【図１】例示的実施形態による、ガラスシートを製造するために使用されるガラス製造機器の概略図。
【図２Ａ】第一例示的実施形態による引出ロール機器の概略図。
【図２Ｂ】第一例示的実施形態による引出ロール機器の概略図。
【図２Ｃ】第一例示的実施形態による引出ロール機器の概略図。
【図３】第二例示的実施形態による引出ロール機器の概略図。
【図４】第三例示的実施形態による引出ロール機器の概略図。
【図５】第四例示的実施形態による引出ロール機器の概略図。
【図６】第五例示的実施形態による引出ロール機器の概略図。
【図７Ａ】例示的実施形態によるシート分離装置の概略図。
【図７Ｂ】例示的実施形態によるシート分離装置の概略図。
【図７Ｃ】例示的実施形態によるシート分離装置の概略図。
【図８Ａ】いくつかの実施形態による例示的引取ロールの間における摩耗量の差を評価する方法を概念的に示す概略図。
【図８Ｂ】いくつかの実施形態による例示的引取ロールの間における摩耗量の差を評価する方法を概念的に示すフローチャート。
【図９】いくつかの実施形態による、図８Ｂの方法によって評価された摩耗量の差を補う方法を概念的に示すフローチャート。
【図１０】いくつかの実施形態による、引取ロールがガラスリボンを引き取る引取条件の間の差を評価する方法を概念的に示すフローチャート。
【図１１】いくつかの実施形態による、図１０の方法によって評価された引取条件の間の差を減らす方法を概念的に示すフローチャート。
【図１２】図９および図１１の方法の特定の実施例を示すフローチャート。
【図１３Ａ】図１２の方法が実践される前後における、比較的短い期間において得られた駆動電流の値の間の差を示すチャート。
【図１３Ｂ】図１２の方法が実践される前後における、比較的短い期間において得られた駆動電流の値の間の差を示すチャート。
【図１４Ａ】図１２の方法が実践される前後における、比較的長い期間において得られた引取力の値の間の差を示すチャート。
【図１４Ｂ】図１２の方法が実践される前後における、比較的長い期間において得られた引取力の値の間の差を示すチャート。
【発明を実施するための形態】
【００１４】
本明細書の以下において、本開示の実施形態は、添付の図面を参照しながら以下のように説明され、そのため、本開示の関連する分野の当業者は、本開示を容易に実行に移すことができる。
【００１５】
本開示における特定の例示的実施形態の説明を、図面に関連して提示してきた。それらは、網羅的であるとは意図されず、または本開示を、本明細書において開示される正確な形態に限定することを意図するものでもなく、上記の教示に鑑みることにより、当業者には、多くの様々な修正および変形が明らかに可能である。
【００１６】
したがって、本開示の範囲は先述の実施形態に限定されないが、本明細書に添付された特許請求の範囲およびその同等物によって定義されることが意図される。
【００１７】
本文書全体を通して、図面を参照するべきであり、特に明記されない限り、様々な図面を通して、同じまたは同様の要素を示すために、同じ参照番号および記号が使用される。以下の説明において、本明細書において、既知の機能および組み入れられた構成要素についての詳細な説明は、本開示の主題がそれらを含めることによって不明瞭となる場合は省略されるであろう。
【００１８】
図１から図６は、いくつかの例示的実施形態に従って構成および操作されるガラス製造機器３００および引取機器４４０、５４０、６４０、７４０、および８４０を示している。引出ロール機器４４０、５４０、６４０、７４０、および８４０は、本明細書では、ダウンドローフュージョン法を使用するガラス製造機器３００において使用されるように説明されるが、引出ロール機器４４０、５４０、６４０、７４０、および８４０は、ガラスリボン３０５を引き取る任意の他のタイプのガラス製造機器に使用することができることは理解されるべきである。したがって、本開示の引出ロール機器４４０、５４０、６４０、７４０、および８４０は、限定して解釈されるべきではない。
【００１９】
図１は、ガラスリボンを製造するために引出ロール機器４４０、５４０、６４０、７４０、および８４０のうちの１つを使用するガラス製造機器３００の例示的実施形態の概略図である。ガラス製造機器３００は、溶融槽３１０、清澄槽３１５、混合槽３２０、送出槽３２５、成形槽３３５、引出ロール機器４４０、５４０、６４０、７４０、または８４０、ならびにシート分離装置９００を含む。
【００２０】
溶融槽３１０は、矢印３１２によって示されるようにガラスバッチ材料が導入され、溶融されて、溶融ガラス３２６を形成する場所である。清澄槽３１５は、溶融槽３１０から溶融ガラス３２６を受け入れて当該溶融ガラス３２６から気泡を除去する、高温処理エリアを有する。当該清澄槽３１５は、当該清澄槽を混合槽に接続する管３２２によって混合槽３２０に接続されている。さらに、当該混合槽３２０は、混合槽を送出達槽に接続する管３２７によって送出槽３２５に接続されている。当該送出槽３２５は、溶融ガラス３２６を、ダウンカマー３３０を通して成形槽３３５へと送出する。当該成形槽３３５は、溶融ガラス３２６を導入するための導入口３３２を有する。当該溶融ガラス３２６は、トラフ３３７の中を流れ、オーバーフローして、成形装置３３５の２つの側面３３８ａおよび３３８ｂを流れ落ち、その後、それらの根元３３９において一緒に融合する。根元３３９は、溶融ガラス３２６の２つの流れが合流（例えば、融合）する場所であり、その後、ガラスリボン３０５を形成するために、引出ロール機器４４０、５４０、６４０、７４０、および８４０によって、引取方向３０６において下向きに引き取られる。次いで、シート分離装置９００は、当該引取られたガラスリボン３０５に切れ目を入れて、当該ガラスリボンを個別のガラスシート３５５へと分離する。
【００２１】
以下において、図２から図６を参照しながら、引出ロール機器４４０、５４０、６４０、７４０、および８４０について詳細に説明されるであろう。
【００２２】
図２Ａから図２Ｃは、例示的実施形態に従って構成される引出ロール機器４４０に関連する概略図である。図２Ａに示されているように、引出ロール機器４４０は、引出ロール装置および制御装置４４６（例えば、プログラマブル論理コントローラ４４６）を含む。当該引出ロール装置は、第一引取ロール対４４２および第二引取ロール対４４４を含む。ガラスリボン３０５の第一端部３０５ａが、第一引取ロール対４４２に関連する２つのロール４５０ａおよび４５０ｂの間において引取られる間、およびガラスリボン３０５の反対側の第二端部３０５ｂが、第二引取ロール対４４４に関連する２つのロール４５２ａおよび４５２ｂの間において引取られる間、制御装置４４６は、当該２つの引取ロール対４４２および４４４を制御する。いくつかの実施形態において、当該引取ロール対は、ガラスリボン３０５におけるダウンドロー張力（すなわち、引取方向３０６の張力）と同様に、クロスドロー張力（すなわち、引取方向３０６に直交する方向の張力）を生じさせるために、垂直下向きに傾けられ得る。この実施例において、２つの引取ロール対４４２および４４４は、上向きの傾きを有するようには位置されないが、それは、そのような傾きは、ガラスリボン３０５を変形させ応力を加えるであろう、望ましくない圧縮力をガラスリボン３０５に対して生じるであろうためである。さらに、加工条件に応じて、片側のロール４５０ａおよび４５０ｂを、反対側のロール４５２ａおよび４５２ｂとは異なるように下向きに傾けることは望ましくあり得る（注意：図５との関連において説明された引出ロール機器７４０は、垂直下向きに傾けられたロール４５０ａ、４５０ｂ、４５２ａ、および４５２ｂを有さないが、その代わりに、水平のロール４５０ａ、４５０ｂ、４５２ａ、および４５２ｂを有する）。
【００２３】
所望であれば、ロール４５０ａ、４５０ｂ、４５２ａ、および４５２ｂも、水平角Θの所定の斜角を有するように配置することができ、それにより、下向きに傾けられたロール４５０ａ、４５０ｂ、４５２ａ、および４５２ｂのそれぞれの面は、ガラスリボン３０５のそれぞれの主要面３０５ｃおよび３０５ｄに相対するように配置することができる（図２Ｃを参照されたい）（注意：図５との関連において説明された引出ロール機器７４０は、水平のロール４５０ａ、４５０ｂ、４５２ａ、および４５２ｂを有し、これらの特定のロールも、所望の場合、所定の斜角を有するように配置することができる）。正の斜角Θは、クロスドロー張力４４８ａを生じ、これは好ましい。対照的に、負の斜角Θは、ガラスリボン３０５に対する圧縮力を生じさせ、そのような力は、ガラスリボン３０５を変形させ、応力を加えるので、好ましくない（注意：図２Ｃは、正の斜角Θを有する引出ロール機器４４０を示しいている）。
【００２４】
引出ロール機器４４０は、それぞれのロールを駆動するための駆動装置４５４ａ、４５４ｂ、４５６ａ、および４５６ｂ、例えば、ギアボックスを使用し得るまたは使用し得ないサーボモーターなど、を含む。
【００２５】
図３は、例示的実施形態による引出ロール機器５４０に関連するダイアグラムである。図３に示されているように、引出ロール機器５４０は、最初に説明した引出ロール機器４４０に関連する構成要素、すなわち、第一引取ロール対４４２、第二引取ロール対４４４、および制御装置４４６（例えば、プログラマブル論理コントローラ４４６）に加えて、さらなる引出ロールアセンブリ５００を含む。引取ロール対５００は、ガラスリボン３０５の横方向に延在する、第一引取ロール５０２（任意選択により圧縮性の耐熱性ロール被覆剤でコーティングされた２つの端部５０２ａおよび５０２ｂを有する）および第二引取ロール５０４（任意選択により圧縮性の耐熱性ロール被覆剤でコーティングされた２つの端部５０４ａおよび５０４ｂを有する）を含む。
【００２６】
引取ロールアセンブリ５００の追加は、ガラスリボン内の、ダウンドロー張力４４８ｂおよび４４８ｃにおける様々なセットを制御する能力も提供し得る。例えば、引取ロール対４４２および４４４は、それらと成形装置３３５との間に位置されたリボンのダウンドロー張力４４８ｂを制御することができ、ならびに当該引取ロールアセンブリ５００は、それらと引取ロール対４４２および４４４との間に位置されたリボンにおけるダウンドロー張力４４８ｃを制御することができる。
【００２７】
引出ロール機器５４０は、それぞれのロールを駆動するために駆動装置４５４ａ、４５４ｂ、４５６ａ、４５６ｂ、５０６、および５０８を含む。
【００２８】
図４は、例示的実施形態による引出ロール機器６４０に関連する概略図である。図４に示されているように、引出ロール機器６４０は、最初に説明した引出ロール機器４４０に関連する構成要素、すなわち、第一引取ロール対４４２、第二引取ロール対４４４、および制御装置４４６（例えば、プログラマブル論理コントローラ４４６）に加えて、第三および第四引取ロール対６０２および６０４を含む。本実施形態により、第三引取ロール対６０２は、第一引取ロール対４４２の直下に位置され、ガラスリボン３０５の第一端部部分をその間において引き取る２つのロール６０６ａおよび６０６ｂを有する。同様に、第四引取ロール対６０４は、第二引取ロール対４４４の直下に位置され、ガラスリボン３０５における反対側の第二端部部分をその間において引き取る２つのロール６０８ａおよび６０８ｂを有する。いくつかの実施形態において、第三および第四引取ロール対は、垂直下向きに傾けられ得るが、さらなる実施形態では、当該第三および第四引取ロール対は、水平に配置され得る。
【００２９】
引取ロール対６０２および６０４の追加は、リボン内の、クロスドロー張力４４８ａおよび４４８ｄならびにダウンドローシート張力４４８ｂおよび４４８ｃにおける様々なセットを制御する能力を提供する。例えば、上側引取ロール対４４２および４４４は、それらと成形装置３３５との間に位置されたリボンにおけるクロスドロー張力４４８ａおよびダウンドロー張力４４８ｂを制御することができ、ならびに下側引取ロール対６０２および６０４は、それらと引取ロール対４４２および４４４との間に位置されたリボンにおけるクロスドロー張力４４８ｄおよびダウンドロー張力４４８ｃを制御することができる。
【００３０】
引出ロール機器６４０は、それぞれのロールを駆動するために駆動装置４５４ａ、４５４ｂ、４５６ａ、４５６ｂ、６１０ａ、６１０ｂ、６１２ａ、および６１２ｂを含む。
【００３１】
図５は、例示的実施形態による引出ロール機器７４０に関連する概略図である。図５に示されているように、引出ロール機器７４０は、第一引取ロール対４４２、第二引取ロール対４４４、および制御装置４４６（例えば、コンピュータ４４６またはプログラマブル論理コントローラ４４６）を含む。ガラスリボン３０５の第一端部３０５ａが、第一引取ロール対４４２に関連する２つの水平なロール４５０ａおよび４５０ｂの間において引取られる間、およびガラスリボン３０５の反対側の第二端部３０５ｂが、第二引取ロール対４４４に関連する水平な２つのロール４５２ａおよび４５２ｂの間において引取られる間、当該制御装置４４６は、２つの引取ロール対４４２および４４４を制御することによって、効率的に、ガラスリボン３０５におけるダウンドロー張力４４８ｂを制御する。
【００３２】
所望であれば、水平なロール４５０ａ、４５０ｂ、４５２ａ、および４５２ｂも、ガラスリボン３０５に生じるクロスドロー力４４８ａの量を制御するために、所定の正の斜角を有するように（例えば制御装置４４６などによって自動的に、または手動によって）配置することができる。さらに、引出ロール機器７４０は、引出ロールアセンブリ５００（図３を参照されたい）あるいは第三および第四引取ロール対６０２および６０４（図４を参照されたい）も組み込み得る。
【００３３】
図６は、例示的実施形態による引出ロール機器８４０に関連する概略図である。
【００３４】
図６に示されているように、引出ロール機器８４０は、ガラスリボン３０５に対して横方向に延在しガラスリボン３０５の端部３０５ａおよび３０５ｂを引き取る、第一引取ロール８４２（圧縮性の耐熱性ロール被覆剤でコーティングされた２つの端部８４２ａおよび８４２ｂを有する）および第二引取ロール８４４（圧縮性の耐熱性ロール被覆剤でコーティングされた２つの端部８４４ａおよび８４４ｂを有する）。引出ロール機器８４０はさらに、第一引取ロール８４２に作動的に接続された駆動装置８４６および第二引取ロール８４４に作動的に接続された駆動装置８４６を含む。さらに、引出ロール機器８４０は、図２Ａから図５までの引取ロール対のうちの少なくとも１つも組み込み得る。
【００３５】
図７Ａから図７Ｃは、例示的実施形態によるシート分離装置９００の概略図を示している。
【００３６】
図７Ａは、ガラスリボン３０５の先縁（ｌｅａｄｉｎｇ  ｅｄｇｅ）が切目入サブアセンブリ９２１を通過してシート取り外しサブアセンブリ９１５のエリアに入る、シート分離装置９００の構成全体を示している。切目入サブアセンブリ９２１は、アンビル９２３、スクライバー９２５、およびスクライバー運搬装置９２７を含む。当該切目入サブアセンブリは、関連分野において既知の可動式スクライバー／可動式アンビルタイプであり得るが、所望の場合、他のタイプの切目入システム、例えば、レーザーをベースとするシステムなど、を使用することもできる。
【００３７】
当該シート取り外しサブアセンブリ９１５は、フレーム９１７、例えば、四角形のフレームなど、を含み、これは、シート係合部材９１９、例えば、寸法がシート３５５の幅および長さより小さく、当該フレームの四隅に配備される、四枠係合部材など、を保持する。シート係合部材９１９は、例えば、軟質の真空吸引カップなどであり得るが、所望であれば、ガラスのシートに係合するための他の機器、例えば、クランプなど、も使用することができる。
【００３８】
シート取り外しサブアセンブリ９１５は、コネクタアセンブリ９３１によってフレーム９１７に接続された運搬装置９２９を含む。運搬装置９２９は、フレームおよびコネクタアセンブリに直線運動および回転運動を提供するための産業ロボットおよび／または固定されたオートメーション装置であり得る。コネクタアセンブリ９３１は、リボン３０５からのシート３５５の分離が、引取方向３０６に対して直行する方向においてガラスリボン３０５の幅の少なくとも一部にわたって延在する分離線９４７において生じた後に、フレーム９１７および当該フレーム９１７に取り付けられたガラスシートが、輸送装置に対して制御された「降下」を受けることを可能にする。
【００３９】
図７Ｂは、スクライバー９２５による、ガラスリボン３０５における分離線９４７の形成を示している。この図にも示されているように、シート係合部材９１９が、ガラスシートに係合している。この係合は、シートに切れ目を入れる前または後に行われ得る。当該係合は、シートの過度の動きを生じさせない十分に軟質の係合部材、例えば、軟質真空吸引カップなど、の使用と組み合わせて、シートに対するシート係合部材のしっかりとした配置を使用することにより、達成することができる。
【００４０】
シート取り外しサブアセンブリ９１５が、切れ目を入れる前または後にシートに係合されるか否かにかかわらず、当該取り外しサブアセンブリ９１５は、リボン３０５からシート３５５を分離する曲げモーメントが適用される前にシートに取り付けられなければならない。
【００４１】
図７Ｃは、曲げモーメントの適用を示している。当該図に示されているように、曲げモーメントは、周りに回転が生じる停止具としてアンビル９２３を使用することにより、シートの第一面（切れ目が入れられていない面）を向いた方向に適用され得る。例えば、シート係合部材９１９は、切れ目線の下においてガラスリボン３０５の切れ目の入ってない面に係合し得、輸送装置９２９により、切れ目線の下のガラスリボン３０５の一部が、切れ目線を広げる方向に回転される。それにより切れ目線に加えられた引張応力が、切れ目線に関連する亀裂を、ガラスリボンの厚さを通して広げ、それにより、ガラスシートがガラスリボンから分離される。いくつかの実施形態において、コネクタアセンブリ９３１は、直ちに、分離されたガラスシートの後縁（ｔｒａｉｌｉｎｇ  ｅｄｇｅ）を、移動し続けるガラスリボン３０５の先縁から離すように移動する。この方法において、ガラスシート、ガラスリボン、またはガラスシートとガラスリボンの両方に対する端部損傷を最小限に抑えることができる。
【００４２】
本明細書において説明される例示的実施形態によるガラス製造機器３００は、少なくとも１つの引取ロール対および少なくとも１つの駆動装置対を含む。当該引取ロール対は、図２Ａから図６に示された引取ロール対４４２、４４４、５００、６０２、６０４、および８４２／８４４の中から選択されたものであリ得る。当該駆動装置対は、図２Ａから図６に示された駆動装置対４５４ａ／４５４ｂ、４５６ａ／４５６ｂ、５０６／５０８、６１０ａ／６１０ｂ、６１２ａ／６１２ｂ、および８４６／８４８の中から選択されたものであり得る。以下の説明は、簡潔さのために、引取ロール対４４２と、駆動装置４５４ａおよび４５４ｂの対に関するものである。しかしながら、以下において説明されるであろう本開示の原則は、他の引取ロール対４４４、５００、６０２、６０４、および８４２／８４４ならびに駆動装置の他の対４５６ａ／４５６ｂ、５０６／５０８、６１０ａ／６１０ｂ、６１２ａ／６１２ｂ、および／または８４６／８４８にも適用することができることは、当業者に明らかであろう。
【００４３】
図８Ａおよび図８Ｂは、それぞれ、いくつかの実施形態による引取ロールの間の摩耗の差を評価する方法を概念的に示す概略図およびフローチャートである。
【００４４】
制御装置４４６は、第一引取ロール４５０ａおよび第二引取ロール４５０ｂがそれぞれ所定の角速度において回転するように、第一駆動装置４５４ａおよび第二駆動装置４５４ｂに供給される駆動電流を制御する。例えば、第一および第二引取ロールの初期使用において、制御装置４４６は、引取ロール４５０ａ、４５０ｂが同じ角速度において回転できるように駆動電流を調節するためのフィードバックシステムを形成し得る。
【００４５】
引取ロール４５０ａ、４５０ｂの使用が継続する場合、当該引取ロール４５０ａ、４５０ｂは摩耗する。ここで、図８Ａに示されるように、引取ロール４５０ａ、４５０ｂは、異なる量において摩耗する場合があり、それは、引取ロール４５０ａ、４５０ｂが同じ角速度を有する場合でも、周辺の表面が異なる線速度において移動する原因となる。これは、結果として、引取ロールがより遅い線速度を有する原因となり、すなわち、より多く摩耗した引取ロールがガラスリボン上においてスリップし、それが、成形品質に対する悪影響の原因となり、ならびに、より遅い線速度を有するより多く摩耗した引取ロールの摩耗を加速させる。
【００４６】
図８Ｂは、摩耗量を評価する方法を概念的に示している。制御装置４４６は、第一引取ロールを駆動するために第一駆動装置に供給される第一駆動電流と、第二引取ロールを駆動するために第二駆動装置に供給される第二駆動電流とをモニターする。その後、制御装置４４６は、第一駆動電流と第二駆動電流との間の比較に基づいて、第一引取ロールが摩耗した第一摩耗量と、第二引取ロールが摩耗した第二摩耗量とを評価することができる。詳細には、引取ロールのうちのより低い駆動電流によって駆動される一方は、より高い駆動電流によって駆動される他方の引取ロールより多く摩耗していると評価され得る。引取ロール４５０ａ、４５０ｂが同じ角速度で回転している場合でも、より低いトルクが、より多く摩耗している引取ロールの方に加えられるため、結果として、より少ない量の駆動電流が消費される。したがって、より多く摩耗している引取ロールを、駆動電流の間の比較に基づいて特定することができる。
【００４７】
図９は、図８Ｂの方法によって評価された摩耗量における差を補う方法を概念的に示すフローチャートである。
【００４８】
図９に示されているように、引出ロール装置は、第一引取ロール４５０ａが、ガラスリボン３０５の一方の表面を引き取るように第一回転条件において回転し、ならびに第二引取ロール４５０ｂが、当該ガラスリボン３０５の他方の表面を引き取るように第二回転条件において回転するように、操作される。当該引出ロール装置の操作の間、制御装置４４６は、第一駆動装置４５４ａに供給される駆動電流と、第二駆動装置４５４ｂに供給される駆動電流とを比較することによって、第一引取ロール４５０ａが摩耗した第一摩耗量が、第二引取ロール４５０ｂが摩耗した第二摩耗量と実質的に異なるか否かを評価する。その後、第一摩耗量が、第二摩耗量と実質的に異なると評価された場合、制御装置４４６は、第一摩耗量と第二摩耗量との間の差を補うために、第一および第二回転条件のうちの少なくとも一方を変更する。
【００４９】
いくつかの実施形態において、当該第一および第二回転条件は、第一および第二引取ロール４５０ａ、４５０ｂの所定の第一および第二角速度であり得る。
【００５０】
いくつかの実施形態において、制御装置４４６は、第一引取ロール４５０ａを駆動するために第一駆動装置４５４ａに供給される第一駆動電流と、第二引取ロール４５０ｂを駆動するために第二駆動装置４５４ｂに供給される第二駆動電流とをモニターする。その後、第一駆動電流と第二駆動電流との間の差が所定の範囲を超える場合、第一摩耗量および第二摩耗量は、お互いに実質的に異なると評価され得る。この場合、制御装置４４６は、より低い駆動電流によって駆動される引取ロールの角速度を、直前の所定の角速度より速くなるように増加させ得る。
【００５１】
いくつかの実施形態において、第一摩耗量と第二摩耗量が実質的に異なると評価された場合、制御装置４４６は、第一および第二引取ロール４５０ａ、４５０ｂのうちのより低い駆動電流によって駆動されている一方の所定の直径を、その直前の所定の直径より小さくなるように減少させる。ここで、当該所定の直径は、制御装置４４６が、第一または第二引取ロール４５０ａ、４５０ｂの現在の直径として認識している直径を指す。大抵の場合、当該所定の直径の値は、それらの実際の直径の値とは異なるであろう。第一および第二引取ロール４５０ａ、４５０ｂが、長時間にわたって使用された後だが、制御装置４４６が、それらの所定の直径の値を減少させるように更新する前では、それらの所定の直径の値は、それらの実際の直径の値より大きいであろう。当該所定の直径の値は、最初に、オペレータによって手動によって入力され得、ならびに第一および第二駆動電流の間の差の結果として、オペレータによって手動により、または自動的に更新され得る。その後、より低い駆動電流によって駆動される引取ロールの直径の減少に応じて、制御装置４４６は、より低い駆動電流によって駆動される引取ロールの所定の角速度を、その所定の直径の関数として増加させ得る。引取ロールの線速度、すなわち、引取ロールがガラスリボンを引き取る速度は、角速度と直径の積に比例するため、引取ロールの角速度の増加は、より多く摩耗している引取ロールの線速度を増加させる。
【００５２】
場合により、より多く摩耗した引取ロールの所定の直径の値を減少するように更新して、その所定の角速度を変更する代わりに、より多く摩耗した引取ロールを、より多く摩耗した引取ロールの実際の直径よりも大きい直径を有する新しい引取ロールに取り替えることは、実用的な選択肢であり得る。
【００５３】
図１０は、いくつかの実施形態による、引取ロール４５０ａ、４５０ｂがガラスリボン３０５を引き取る引取条件の間の差を評価する方法を概念的に示すフローチャートである。
【００５４】
当該引出ロール装置は、第一引取ロール４５０ａが第一引取条件においてガラスリボン３０５の一方の表面を引き取るように回転し、ならびに第二引取ロール４５０ｂが第二引取条件においてガラスリボン３０５の他方の表面を引き取るように回転するように、操作される。その後、制御装置４４６は、第一引取ロールを駆動するために第一駆動装置に供給される第一駆動電流と、第二引取ロールを駆動するために第二駆動装置に供給される第二駆動電流とをモニターする。その後、制御装置４４６は、第一電流および第二電流に基づいて第一引取条件および第二引取条件を評価し得る。
【００５５】
第一駆動電流と第二駆動電流との間の差が所定の範囲を超える場合、当該制御装置４４６は、第一引取条件と第二引取条件がお互いに実質的に異なると評価し得る。
【００５６】
当該第一および第二引取条件のそれぞれは、ｉ）第一および第二引取ロール４５０ａ、４５０ｂのうちの対応する引取ロールがガラスリボン３０５を引き取る引取力、およびｉｉ）第一および第二引取ロール４５０ａ、４５０ｂのうちの対応する引取ロールがガラスリボン３０５を引き取る引取速度、を含み得る。
【００５７】
いくつかの実施形態において、制御装置４４６は、第一および第二引取ロール４５０ａ、４５０ｂのうちのより低い駆動電流によって駆動される方がガラスリボン３０５を引き取る引取力が、他方の引取ロールがガラスリボン３０５を引き取る引取力より小さいと評価し得る。
【００５８】
あるいは、当該制御装置４４６は、第一および第二引取ロール４５０ａ、４５０ｂのうちのより低い駆動電流によって駆動される方がガラスリボン３０５を引き取る引取速度が、他方の引取ロールがガラスシート３０５を引き取る引取速度より小さいと評価し得る。
【００５９】
図１１は、いくつかの実施形態による、図１０の方法によって評価された引取条件の間の差を減らす方法を概念的に示すフローチャートである。
【００６０】
図１１に示されているように、引出ロール装置は、第一引取ロール４５０ａが、第一引取条件においてガラスリボン３０５の一方の表面を引き取るように第一回転条件において回転し、ならびに第二引取ロール４５０ｂが、第二引取条件において当該ガラスリボン３０５の他方の表面を引き取るように第二回転条件において回転するように、操作される。引出ロール装置の操作の際、制御装置４４６は、第一引取条件と第二引取条件がお互いに実質的に異なるか否かを評価する。その後、第一引取条件および第二引取条件がお互いに実質的に異なると評価された場合、制御装置４４６は、第一引取条件および第二引取条件の差を減らすために、第一引取条件および第二引取条件のうちの一方を変更し得る。
【００６１】
いくつかの実施形態において、制御装置４４６は、第一および第二引取ロールのうちのより低い駆動電流によって駆動される方の角速度を、直前の所定の角速度より高くなるように増加させ得る。
【００６２】
あるいは、制御装置４４６は、第一および第二引取ロールのうちのより低い駆動電流によって駆動されている方の直径を、直前の所定の直径より小さくなるように減少させ得る。その後、当該直径の減少に応じて、制御装置４４６は、より低い駆動電流によって駆動される引取ロールの所定の角速度を、その所定の直径の関数として増加させ得る。
【００６３】
図１２は、図９および図１１の方法の特定の実施例を示すフローチャートである。
【００６４】
切目入サブアセンブリ９２１の切目入作業およびシート取り外しサブアセンブリ９１５の係合作業は、駆動電流に影響を及ぼす攪乱要因として機能するため、攪乱が存在する間に得られた駆動電流の値は使用しないことが推奨され得る。詳細には、シート分離装置９００がガラスリボン３０５に接触している分離期間（例示的実施形態において、シート取り外しサブアセンブリ９１５の係合作業の開始を示す信号が制御装置４４６に入力された時点と、切目入サブアセンブリ９２１のスクライバー運搬装置９２７の戻り作業の開始を示す信号が制御装置４４６に入力された時点との間）に得られたおよび／または得ることが可能な駆動電流の値は、摩耗量の評価および引取条件の評価において使用しない。その代わりに、制御装置４４６は、シート分離装置９００がガラスリボン３０５に接触していない準備期間の駆動電流をモニターし得、当該準備期間に得られた駆動電流のみを使用して評価を実施し得る。
【００６５】
いくつかの実施形態において、駆動装置に供給される駆動電流の値は、以下のように得ることができる：ｉ）制御装置４４６は、１枚のガラスシートが製造される毎に一定の間隔の期間において、それぞれ、第一駆動装置４５４ａおよび第二駆動装置４５４ｂに供給される一連の第一駆動電流および一連の第二駆動電流をモニターし得る。当該一連の第一駆動電流および一連の第二駆動電流、すなわち、所定の数の駆動電流値（例えば、６０）および所定の数の駆動電流値（例えば、６０）が収集される場合、制御装置４４６は、それらの移動平均を計算し得、その後、得られた平均駆動電流値を、摩耗量の評価および引取条件の評価において使用し得る。
【００６６】
当該制御装置４４６は、駆動電流値における差、すなわち、第一駆動装置４５４ａに供給される第一駆動電流（上記において説明されるような実施形態における一連の第一駆動電流の平均）と、第二駆動装置４５４ｂに供給される第二駆動電流（上記において説明されるような実施形態における一連の第二駆動電流の平均）との間の差、を計算し得、次いで、第一および第二駆動電流をお互いに比較することにより、駆動電流値における当該差が所定の差の範囲を超えるか否かを特定し得る。制御装置４４６は、２つの引取ロール４５０ａ、４５０ｂのうちのより低い駆動電圧によって駆動される方が、他方の引取ロールよりも多く摩耗されていると評価し得る。それぞれの駆動電流値の間の差が所定の差の範囲以下である場合、制御装置４４６は、次の比較の時点まで待機し得る。対照的に、駆動電流値における差が所定の差の範囲を超える場合、より高い駆動電流によって駆動される引取ロールの所定の直径は、変更されないままであるが、制御装置４４６は、より低い駆動電流によって駆動される引取ロールを、より多く摩耗している引取ロールとして識別し得、その所定の直径を所定の量だけ（例えば、０．０００５インチ（約０．０１２７ミリメートル））減少させ得る。
【００６７】
いくつかの実施形態において、ガラス製造機器３００は、上記において説明されるように、引取条件、摩耗量、および／または駆動電流を評価する評価作業ならびに第一および第二回転条件のうちの少なくとも一方を変更する変更作業を、連続して繰り返すように構成され得る。ここで、第一および第二回転条件のうちの少なくとも一方を変更する変更作業が所定の回数だけ繰り返される間に第一駆動電流と第二駆動電流との間の差が増加し続けることが特定される場合、制御装置４４６は、変更作業に進むことなく、当該繰り返しを打ち切り得る。
【００６８】
例示的実施形態において、所定の直径が、直前の変更作業によって変更されている場合、制御装置４４６は、駆動電流値における差の変化を観察する。新しい差が、直前の差以下の場合、制御装置４４６は、カウント数をゼロ（０）に初期化する。対照的に、新しい差が、直前の差より大きい場合、制御装置４４６は、カウント数を１だけ増加させる。当該カウント数が、所定の値（例えば、５）に達すると、駆動電流値の差は、徐々に増加していると判断される。この場合、当該制御装置４４６は、摩耗を補うためおよび引取条件における差を減少させるための制御プロセスを打ち切り得る。
【００６９】
図１３Ａおよび図１３Ｂは、図１２の方法が実践される前後での、比較的短い期間において得られた駆動電流の値の間の差を示すチャートである。
【００７０】
図１３Ａおよび図１３Ｂに示されるように、例示的方法が実践される前、第一駆動電流の値ＤＣ１（最大値０．０７５および最小値−０．１５）は、第二駆動電流の値ＤＣ２（最大値０．２７５および最小値０．０７５）よりかなり小さかった。対照的に、例示的方法が実践された後、第一駆動電流の値ＤＣ１（最大値０．１５および最小値−０．０８）は、第二駆動電流の値ＤＣ２（最大値０．２７５および最小値０．０７５）と実質的に同じになった。
【００７１】
図１４Ａおよび図１４Ｂは、図１２の方法が実践される前後における、比較的長い期間において得られた引取力の値の間の差を示すチャートである。
【００７２】
図１４Ａおよび図１４Ｂに示されるように、例示的方法が実践される前、第一引取力ＤＦ１は、第二引取力ＤＦ２よりかなり小さかった。対照的に、例示的方法が実践された後、第一引取力ＤＦ１は、第二引取力ＤＦ２と実質的に同じになった。
【００７３】
本開示により、１枚のガラスシートが製造される期間に駆動装置に供給される駆動電流における変化を繰り返しモニターすることによって、リアルタイムにおいて引取ロールの間の摩耗量の差を補うことが可能である。したがって、たとえ、第一引取ロールの実際の直径が第二引取ロールの直径と実質的に異なっていても、引取ロールの摩耗量の違いに起因する作業パラメータにおける差を確実に減少させることは可能である。
【００７４】
さらに、引取ロールが長期間にわたって使用された後、成形品質は悪化し、引取力の間の差が増加することが見出された。摩耗量の間の差が補われた後、引取力の間の差を、引取ロールの交換の直後に測定されたレベルに、継続的に維持することができ、その結果、引取ロールの寿命が延びる。
【００７５】
本開示の特定の例示的実施形態の前述の説明を、図面に関連して提示してきた。それらは、網羅的であること、または本開示を、本明細書において開示された正確な形態に限定することを意図するものではなく、上述の教示に鑑みて、当業者にとって、明らかに、多くの修正および変更が可能である。
【００７６】
したがって、本開示の範囲は、先述の実施形態に限定されないが、本明細書に添付される特許請求の範囲およびその同等物によって規定されることが、意図される。
【００７７】
以下、本発明の好ましい実施形態を項分け記載する。
【００７８】
実施形態１
ａ）ある幅を有するガラスリボンを形成するステップと、
ｂ）少なくとも一対の引取ロールを含む引出ロール装置を操作するステップであって、当該少なくとも一対の引取ロールが、当該幅に対して横方向に延在する引取経路に沿ってガラスリボンを引き取るために、第一引取ロールおよび第二引取ロールを含み、この場合、当該第一引取ロールは、第一引取条件においてガラスリボンの一方の表面を引き取るように第一回転条件において回転し、当該第二引取ロールは、第二引取条件においてガラスリボンの他方の表面を引き取るように第二回転条件において回転する、ステップと、
ｃ）当該第一および第二引取条件が実質的にお互いに異なるか否かを評価するステップと、
ｄ）当該第一および第二引取条件が実質的にお互いに異なると評価された場合に、当該第一および第二引取条件の間の差を減らすように、当該第一および第二回転条件の少なくとも一方を変更するステップと、
を含む、ガラスリボンを製造する方法。
【００７９】
実施形態２
上記引出ロール装置がさらに、上記第一回転条件において回転するように上記第一引取ロールを駆動するための第一駆動装置と、上記第二回転条件において回転するように上記第二引取ロールを駆動するための第二駆動装置とを含み、
上記第一引取条件が、上記第一引取ロールが上記ガラスリボンの当該一方の表面を引き取る第一引取力を含み、ならびに、第二引取条件が、上記第二引取ロールが当該ガラスリボンの当該他方の表面を引き取る第二引取力を含み、
当該第一および第二回転条件が、それぞれ、当該第一および第二引取ロールの所定の角速度を含み、
ステップｃ）が、
ｃ１）当該第一引取ロールを駆動するために当該第一駆動装置に供給される第一駆動電流と、当該第二引取ロールを駆動するために当該第二駆動装置に供給される第二駆動電流とをモニターするステップと、
ｃ２）当該第一駆動電流と当該第二駆動電流との間の差が所定の範囲を超える場合に、当該第一引取力と当該第二引取力が実質的にお互いに異なると評価するステップと
を含み、
ステップｄ）が、当該第一および第二引取ロールのうちのより低い駆動電流によって駆動される方の引取ロールの当該所定の角速度を増加させるステップを含む、
実施形態１記載の方法。
【００８０】
実施形態３
上記引出ロール装置がさらに、上記第一回転条件において回転するように上記第一引取ロールを駆動するための第一駆動装置と、上記第二回転条件において回転するように上記第二引取ロールを駆動するための第二駆動装置とを含み、
上記第一引取条件が、上記第一引取ロールが上記ガラスリボンの当該一方の表面を引き取る第一引取力を含み、ならびに、第二引取条件が、上記第二引取ロールが当該ガラスリボンの当該他方の表面を引き取る第二引取力を含み、
当該第一および第二回転条件が、それぞれ、当該第一および第二引取ロールの所定の角速度を含み、
ステップｃ）が、
ｃ１）当該第一引取ロールを駆動するために当該第一駆動装置に供給される第一駆動電流と、当該第二引取ロールを駆動するために当該第二駆動装置に供給される第二駆動電流とをモニターするステップと、
ｃ２）当該第一駆動電流と当該第二駆動電流との間の差が所定の範囲を超える場合に、当該第一引取力と当該第二引取力が実質的にお互いに異なると評価するステップと
を含み、
ステップｄ）が、
ｄ１）当該第一および第二引取ロールのうちのより低い駆動電流によって駆動される方の引取ロールの所定の直径を減らすステップと、
ｄ２）当該一方の引取ロールの当該所定の直径の当該減少に応じて、当該一方の引取ロールの当該所定の角速度を、その当該所定の直径の関数として増加させるステップと
を含む、
実施形態１記載の方法。
【００８１】
実施形態４
上記引出ロール装置がさらに、上記第一回転条件において回転するように上記第一引取ロールを駆動するための第一駆動装置と、上記第二回転条件において回転するように上記第二引取ロールを駆動するための第二駆動装置とを含み、
上記第一引取条件が、上記第一引取ロールが上記ガラスリボンの当該一方の表面を引き取る第一引取速度を含み、ならびに、第二引取条件が、上記第二引取ロールが当該ガラスリボンの当該他方の表面を引き取る第二引取速度を含み、
当該第一および第二回転条件が、それぞれ、当該第一および第二引取ロールの所定の角速度を含み、
ステップｃ）が、
ｃ１）当該第一引取ロールを駆動するために当該第一駆動装置に供給される第一駆動電流と、当該第二引取ロールを駆動するために当該第二駆動装置に供給される第二駆動電流とをモニターするステップと、
ｃ２）当該第一駆動電流と当該第二駆動電流との間の差が所定の範囲を超える場合に、当該第一引取速度と当該第二引取速度が実質的にお互いに異なると評価するステップと
を含み、
ステップｄ）が、当該第一および第二引取ロールのうちのより低い駆動電流によって駆動される方の引取ロールの当該所定の角速度を増加させるステップを含む、
実施形態１記載の方法。
【００８２】
実施形態５
上記引出ロール装置がさらに、上記第一回転条件において回転するように上記第一引取ロールを駆動するための第一駆動装置と、上記第二回転条件において回転するように上記第二引取ロールを駆動するための第二駆動装置とを含み、
上記第一引取条件が、上記第一引取ロールが上記ガラスリボンの当該一方の表面を引き取る第一引取速度を含み、ならびに、第二引取条件が、上記第二引取ロールが当該ガラスリボンの当該他方の表面を引き取る第二引取速度を含み、
当該第一および第二回転条件が、それぞれ、当該第一および第二引取ロールの所定の角速度を含み、
ステップｃ）が、
ｃ１）当該第一引取ロールを駆動するために当該第一駆動装置に供給される第一駆動電流と、当該第二引取ロールを駆動するために当該第二駆動装置に供給される第二駆動電流とをモニターするステップと、
ｃ２）当該第一駆動電流と当該第二駆動電流との間の差が所定の範囲を超える場合に、当該第一引取速度と当該第二引取速度が実質的にお互いに異なると評価するステップと
を含み、
ステップｄ）が、
ｄ１）当該第一および第二引取ロールのうちのより低い駆動電流によって駆動される方の引取ロールの所定の直径を減らすステップと、
ｄ２）当該一方の引取ロールの当該所定の直径の当該減少に応じて、当該一方の引取ロールの当該所定の角速度を、その当該所定の直径の関数として増加させるステップと
を含む、
実施形態１記載の方法。
【００８３】
実施形態６
ガラスリボンを製造する方法であって、
ａ）ある幅を有するガラスリボンを形成するステップと、
ｂ）少なくとも一対の引取ロールを含む引出ロール装置を操作するステップであって、当該少なくとも一対の引取ロールが、当該幅に対して横方向に延在する引取経路に沿ってガラスリボンを引き取るために、第一引取ロールおよび第二引取ロールを含み、この場合、当該第一引取ロールは、ガラスリボンの一方の表面を引き取るように第一回転条件において回転し、当該第二引取ロールは、ガラスリボンの他方の表面を引き取るように第二回転条件において回転する、ステップと、
ｃ）当該第一引取ロールが摩滅した当該第一引取ロールの第一摩耗量が、当該第二引取ロールが摩滅した当該第二引取ロールの第二摩耗量と実質的に異なるか否かを評価するステップと、
ｄ）当該第一摩耗量および当該第二摩耗量が実質的にお互いに異なると評価された場合に、当該第一摩耗量と当該第二摩耗量との間の差を補うために当該第一および第二回転条件の少なくとも一方を変更するステップと
を含む、方法。
【００８４】
実施形態７
上記引出ロール装置がさらに、上記第一回転条件において回転するように上記第一引取ロールを駆動するための第一駆動装置と、上記第二回転条件において回転するように上記第二引取ロールを駆動するための第二駆動装置とを含み、
当該第一および第二回転条件が、それぞれ、当該第一および第二引取ロールの所定の角速度を含み、
ステップｃ）が、
ｃ１）当該第一引取ロールを駆動するために当該第一駆動装置に供給される第一駆動電流と、当該第二引取ロールを駆動するために当該第二駆動装置に供給される第二駆動電流とをモニターするステップと、
ｃ２）当該第一駆動電流と当該第二駆動電流との間の差が所定の範囲を超える場合に、当該第一摩耗量と当該第二摩耗量が実質的にお互いに異なると評価するステップと
を含み、
ステップｄ）が、当該第一および第二引取ロールのうちのより低い駆動電流によって駆動される方の引取ロールの当該所定の角速度を増加させるステップを含む
実施形態６記載の方法。
【００８５】
実施形態８
上記引出ロール装置がさらに、上記第一回転条件において回転するように上記第一引取ロールを駆動するための第一駆動装置と、上記第二回転条件において回転するように上記第二引取ロールを駆動するための第二駆動装置とを含み、
当該第一および第二回転条件が、それぞれ、当該第一および第二引取ロールの所定の角速度を含み、
ステップｃ）が、
ｃ１）当該第一引取ロールを駆動するために当該第一駆動装置に供給される第一駆動電流と、当該第二引取ロールを駆動するために当該第二駆動装置に供給される第二駆動電流とをモニターするステップと、
ｃ２）当該第一駆動電流と当該第二駆動電流との間の差が所定の範囲を超える場合に、上記第一摩耗量と上記第二摩耗量が実質的にお互いに異なると評価するステップと
を含み、
ステップｄ）が、
ｄ１）当該第一および第二引取ロールのうちのより低い駆動電流によって駆動される方の引取ロールの所定の直径を減少させるステップと、
ｄ２）当該一方の引取ロールの当該所定の直径の当該減少に応じて、当該一方の引取ロールの当該所定の角速度を、その当該所定の直径の関数として増加させるステップと
を含む、
実施形態６記載の方法。
【００８６】
実施形態９
ａ）少なくとも一対の引取ロールと少なくとも一対の駆動装置とを含む引出ロール装置を操作するステップであって、当該少なくとも一対の引取ロールが第一引取ロールおよび第二引取ロールを含み、当該少なくとも一対の駆動装置が、ある幅を有するシートを当該幅に対して横方向に延在する引取経路に沿って引き取るために、第一引取ロールを駆動する第一駆動装置と、第二引取ロールを駆動する第二駆動装置とを含み、この場合、当該第一引取ロールは、第一引取条件において当該シートの一方の表面を引き取るように回転し、当該第二引取ロールは、第二引取条件において当該シートの他方の表面を引き取るように回転する、ステップと、
ｂ）当該第一引取ロールを駆動するために当該第一駆動装置に供給される第一駆動電流と、当該第二引取ロールを駆動するために当該第二駆動装置に供給される第二駆動電流とをモニターするステップと、
ｃ）第一および第二駆動電流に基づいて当該第一および第二引取条件を評価するステップと
を含む、引取条件を評価する方法。
【００８７】
実施形態１０
上記第一および第二引取条件のそれぞれが、上記第一および第二引取ロールのうちの対応する引取ロールが上記シートを引き取る引取力を含み、
ステップｃ）が、当該第一および第二引取ロールのうちのより低い駆動電流によって駆動される方が当該シートを引き取る引取力が、他方の引取ロールが当該シートを引き取る引取力より小さいと評価するステップを含む、
実施形態９記載の方法。
【００８８】
実施形態１１
上記第一および第二引取条件のそれぞれが、上記第一および第二引取ロールのうちの対応する引取ロールが上記シートを引き取る引取速度を含み、
ステップｃ）が、当該第一および第二引取ロールのうちの一方の引取ロールが当該シートを引き取る引取速度が、他方の引取ロールが当該シートを引き取る引取速度より小さいと評価するステップを含む、
実施形態９記載の方法。
【００８９】
実施形態１２
ａ）少なくとも一対の引取ロールと少なくとも一対の駆動装置とを含む引出ロール装置を操作するステップであって、当該少なくとも一対の引取ロールが第一引取ロールおよび第二引取ロールを含み、当該少なくとも一対の駆動装置が、ある幅を有するシートを当該幅に対して横方向に延在する引取経路に沿って引き取るために、第一引取ロールを駆動する第一駆動装置と、第二引取ロールを駆動する第二駆動装置とを含み、この場合、当該第一引取ロールは、当該シートの一方の表面を引き取るように回転し、当該第二引取ロールは、当該シートの他方の表面を引き取るように回転する、ステップと、
ｂ）当該第一引取ロールを駆動するために当該第一駆動装置に供給される第一駆動電流と、当該第二引取ロールを駆動するために当該第二駆動装置に供給される第二駆動電流とをモニターするステップと、
ｃ）第一および第二駆動電流に基づいて、第一引取ロールが摩滅した第一引取ロールの第一摩耗量と、第二引取ロールが摩滅した第二引取ロールの第二摩耗量とを評価するステップと
を含む、引取ロールの摩耗量を評価する方法。
【００９０】
実施形態１３
ステップｄ）が、上記第一および第二引取ロールのうちのより低い駆動電流によって駆動される方の引取ロールの上記摩耗量が、他方の引取ロールの上記摩耗量より大きいと評価するステップを含む、実施形態１２記載の方法。
【００９１】
実施形態１４
ａ）ある幅を有するガラスリボンを形成するステップと、
ｂ）少なくとも一対の引取ロールと少なくとも一対の駆動装置とを含む引出ロール装置を操作するステップであって、当該少なくとも一対の引取ロールが第一引取ロールおよび第二引取ロールを含み、当該少なくとも一対の駆動装置が、当該幅に対して横方向に延在する引取経路に沿ってガラスリボンを引き取るために、第一引取ロールを駆動する第一駆動装置と、第二引取ロールを駆動する第二駆動装置とを含み、この場合、第一引取ロールは、ガラスリボンの一方の表面を引き取るように第一回転条件において回転し、第二引取ロールは、ガラスリボンの他方の表面を引き取るように第二回転条件において回転する、ステップと、
ｃ）第一引取ロールを駆動するために第一駆動装置に供給される第一駆動電流および第二引取ロールを駆動するために第二駆動装置に供給される第二駆動電流が、実質的にお互いに異なるか否かを特定するステップと、
ｄ）第一および第二駆動電流が実質的にお互いに異なると特定された場合に、第一および第二回転条件の少なくとも一方を変更するステップと、
を含む、ガラスリボンを製造する方法。
【００９２】
実施形態１５
ステップｃ）が、上記第一駆動電流と上記第二駆動電流との間の差が所定の範囲を超える場合に当該第一駆動電流と当該第二駆動電流が実質的にお互いに異なることを特定する、実施形態１４記載の方法。
【００９３】
実施形態１６
ステップｃ）が、
ｃ１）一定の間隔において、それぞれ、上記第一駆動装置に供給される一連の第一駆動電流と、上記第二駆動装置に供給される一連の第二駆動電流とをモニターするステップと、
ｃ２）当該一連の第一駆動電流および当該一連の第二駆動電流を平均するステップと、  
ｃ３）  それぞれ、当該一連の第一駆動電流の平均および当該一連の第二駆動電流の平均を、第一駆動電流および第二駆動電流として使用して、当該特定を実施するステップと
を含む、実施形態１４記載の方法。
【００９４】
実施形態１７
上記第一および第二回転条件が、それぞれ、上記第一および第二引取ロールの所定の角速度を含み、
ステップｄ）が、当該第一および第二引取ロールのうちのより低い駆動電流によって駆動される方の引取ロールの当該所定の角速度を増加させるステップを含む、
実施形態１４記載の方法。
【００９５】
実施形態１８
ステップｄ）が、
ｄ１）上記第一および第二引取ロールのうちのより低い駆動電流によって駆動される方の引取ロールの所定の直径を減少させるステップ
を含む、実施形態１４記載の方法。
【００９６】
実施形態１９
ステップｄ１）において、上記一方の引取ロールの上記所定の直径が、所定の量だけ減じられる、実施形態１８記載の方法。
【００９７】
実施形態２０
上記第一および第二回転条件が、それぞれ、上記第一および第二引取ロールの所定の角速度を含み、
ステップｄ）がさらに、
ステップｄ１）の後に、ｄ２）当該一方の引取ロールの上記所定の直径の減少に応じて、当該一方の引取ロールの当該所定の角速度を、その当該所定の直径の関数として増加させるステップ
を含む、
実施形態１８記載の方法。
【００９８】
実施形態２１
さらに、シート分離装置を使用して、上記ガラスリボンから少なくとも１枚のガラスシートを分離するステップを含み、
当該シート分離装置が、当該シート分離装置が当該ガラスリボンに接触している分離期間と、当該シート分離装置が当該ガラスリボンから離れている準備期間とを有し、
ステップｃ）が、
ｃ１）当該シート分離装置の準備期間に上記第一および第二駆動電流をモニターするステップと、
ｃ２）当該ガラス分離装置の当該準備期間にモニターされた当該第一および第二駆動電流を使用して上記特定を実施するステップと
を含む、
実施形態１４記載の方法。
【００９９】
実施形態２２
さらに、ステップｃ）およびｄ）を繰り返すステップを含み、
ステップｃ）が、上記第一および第二回転条件のうちの少なくとも一方を変更するステップｄ）が所定の回数だけ繰り返される間に上記第一駆動電流と上記第二駆動電流との間の差が増加し続けると特定された場合にステップｄ）に進まずに当該繰り返しを打ち切るステップを含む、
実施形態１４記載の方法。
【０１００】
実施形態２３
ある幅を有するガラスリボンを形成するように構成された成形装置と、
当該幅に対して横方向に延在する引取経路に沿って当該成形装置からガラスリボンを引き取るように構成された引出ロール装置であって、少なくとも一対の引取ロールと少なくとも一対の駆動装置とを含み、当該少なくとも一対の引取ロールが第一引取ロールおよび第二引取ロールを含み、当該少なくとも一対の駆動装置が、当該第一引取ロールを駆動するための第一駆動装置と、第二引取ロールを駆動するための第二駆動装置とを含む、引出ロール装置と、
制御装置であって、
当該第一引取ロールが、第一引取条件においてガラスリボンの一方の表面を引き取るように第一回転条件において回転し、第二引取ロールが、第二引取条件においてガラスリボンの他方の表面を引き取るように第二回転条件において回転するように、当該引出ロール装置を操作し、
当該第一引取ロールを駆動するために当該第一駆動装置に供給される第一駆動電流と、当該第二引取ロールを駆動するために当該第二駆動装置に供給される第二駆動電流とが、実質的にお互いに異なるか否かを特定し、ならびに
当該第一駆動電流と当該第二駆動電流とが実質的にお互いに異なると特定された場合に、当該第一および第二回転条件の少なくとも一方を変更する
ように構成された制御装置と
を含むガラス製造機器。
【０１０１】
実施形態２４
上記制御装置が、上記第一および第二駆動電流が所定の範囲を超える場合に上記第一および第二引取条件が実質的にお互いに異なると評価するように構成される、実施形態２３記載のガラス製造機器。
【０１０２】
実施形態２５
上記制御装置が、
一定の間隔において、それぞれ、上記第一駆動装置に供給される一連の第一駆動電流と、上記第二駆動装置に供給される一連の第二駆動電流とをモニターし、
当該一連の第一駆動電流および当該一連の第二駆動電流を平均し、ならびに
それぞれ、当該一連の第一駆動電流の平均と当該一連の第二駆動電流の平均とを、第一駆動電流および第二駆動電流として使用して、当該特定を実施する
ように構成される、実施形態２３記載のガラス製造機器。
【０１０３】
実施形態２６
上記第一および第二回転条件が、それぞれ、上記第一および第二引取ロールの所定の角速度を含み、
上記制御装置が、当該第一および第二引取ロールのうちのより低い駆動電流によって駆動される方の引取ロールの当該所定の角速度を増加させるように構成される、
実施形態２３記載のガラス製造機器。
【０１０４】
実施形態２７
上記制御装置が、上記第一および第二引取ロールのうちのより低い駆動電流によって駆動される方の引取ロールの所定の直径を減少させるように構成される、実施形態２３記載のガラス製造機器。
【０１０５】
実施形態２８
上記制御装置が、上記一方の引取ロールの上記所定の直径を所定の量だけ減じるように構成される、実施形態２７記載のガラス製造機器。
【０１０６】
実施形態２９
上記第一および第二回転条件が、それぞれ、上記第一および第二引取ロールの角速度を含み、
上記制御装置が、当該一方の引取ロールの上記所定の直径の減少に応じて、当該一方の引取ロールの当該所定の角速度を、その当該所定の直径の関数として増加させるように構成される、
実施形態２７記載のガラス製造機器。
【０１０７】
実施形態３０
さらに、上記ガラスリボンから少なくとも１枚のガラスシートを分離するように構成されるシート分離装置であって、当該シート分離装置がガラスリボンに接触している分離期間と、当該シート分離装置が当該ガラスリボンから離れている準備期間とを有する、シート分離装置を含み、
当該制御装置が、
当該シート分離装置の当該準備期間に上記第一および第二駆動電流をモニターし、ならびに
当該シート分離装置の当該準備期間にモニターされた当該第一および第二駆動電流を使用して上記特定を実施する
ように構成される、
実施形態２３記載のガラス製造機器。
【０１０８】
実施形態３１
上記制御ユニットが、
上記特定および上記変更を繰り返し、ならびに
当該変更が所定の回数繰り返される間に上記第一駆動電流と上記第二駆動電流との間の差が増加しつづける場合、当該変更に進まずに当該繰り返しを打ち切る
ように構成される、
実施形態２３記載のガラス製造機器。
【０１０９】
実施形態３２
上記第一および第二引取ロールが、上記ガラスリボンの２つの端部部分の一方の上に配置され、当該端部部分の間に、上記ガラスリボンが当該第一および第二引取ロールの間において引き取られるように当該幅が延在する、実施形態２３記載のガラス製造機器。
【０１１０】
実施形態３３
上記引取ロールの少なくとも一対が、少なくとも１列の引取ロール対を含み、当該少なくとも１列の引取ロール対が、それぞれ、上記ガラスリボンの２つの端部部分の上に配置された引取ロールの２つの対を含む、実施形態２３記載のガラス製造機器。
【０１１１】
実施形態３４
上記成形装置から、ある幅を有するガラスリボンを当該幅に対して横方向に延在する引取経路に沿って引き取るように構成された引出ロール装置であって、少なくとも一対の引取ロールと少なくとも一対の駆動装置とを含み、当該少なくとも一対の引取ロールが第一引取ロールおよび第二引取ロールを含み、当該少なくとも一対の駆動装置が、第一引取ロールを駆動するための第一駆動装置と、第二引取ロールを駆動するための第二駆動装置とを含む、引出ロール装置と、
制御装置であって、
当該第一引取ロールが、第一引取条件においてガラスリボンの一方の表面を引き取るように第一回転条件において回転し、第二引取ロールが、第二引取条件においてガラスリボンの他方の表面を引き取るように第二回転条件において回転するように、当該引出ロール装置を操作し、
当該第一引取ロールを駆動するために当該第一駆動装置に供給される第一駆動電流と、当該第二引取ロールを駆動するために当該第二駆動装置に供給される第二駆動電流とが、実質的にお互いに異なるか否かを特定し、ならびに
当該第一駆動電流および当該第二駆動電流が実質的にお互いに異なると特定された場合に、第一および第二回転条件の少なくとも一方を変更する
ように構成された制御装置と
を含む引出ロール機器。
【符号の説明】
【０１１２】
３００  ガラス製造機器
３０５  ガラスリボン
３０５ａ  第一端部
３０５ｂ  第二端部
３０５c、３０５d  主要面
３０６  引取方向
３１０  溶融槽
３１２  矢印
３１５  清澄槽
３２０  混合槽
３２２、３２７  管
３２５  送出槽
３２６  溶融ガラス
３３０  ダウンカマー
３３２  導入口
３３５  成形槽
３３７  トラフ
３３８ａ、３３８ｂ  側面
３３９  根元    ３５５  ガラスシート
４４０、５４０、６４０、７４０、８４０  引出ロール機器
４４２  第一引取ロール対
４４４  第二引取ロール対
４４６  制御装置
４４８ａ  クロスドロー張力
４４８ｂ、４４８ｃ  ダウンドロー張力
４５０a、４５０b、４５２a、４５２b  ロール
４５４a、４５４b、４５６a、４５６b、５０６、５０８、６１０a、６１０b、６１２a、６１２b、８４６  駆動装置
５００  引出ロールアセンブリ
５０２、８４２  第一引取ロール
５０４、８４４  第二引取ロール
５０２ａ、５０２ｂ、５０４ａ、５０４ｂ、８４２ａ、８４２ｂ、８４４ａ、８４４ｂ  端部
６０２  第三引取ロール対
６０４  第四引取ロール対
６０６ａ、６０６ｂ、60８a、60８b  ロール
９００  シート分離装置
９１５  シート取り外しサブアセンブリ
９１７  フレーム
９１９  シート係合部材
９２１  切目入サブアセンブリ
９２３  アンビル
９２５  スクライバー
９２７  スクライバー運搬装置
９２９  運搬装置
９３１  コネクタアセンブリ
９４７  分離線
【図１】
2019516660.tif 000002
【図２Ａ】
2019516660.tif 000003
【図２Ｂ】
2019516660.tif 000004
【図２Ｃ】
2019516660.tif 000005
【図３】
2019516660.tif 000006
【図４】
2019516660.tif 000007
【図５】
2019516660.tif 000008
【図６】
2019516660.tif 000009
【図７Ａ】
2019516660.tif 000010
【図７Ｂ】
2019516660.tif 000011
【図７Ｃ】
2019516660.tif 000012
【図８Ａ】
2019516660.tif 000013
【図８Ｂ】
2019516660.tif 000014
【図９】
2019516660.tif 000015
【図１０】
2019516660.tif 000016
【図１１】
2019516660.tif 000017
【図１２】
2019516660.tif 000018
【図１３Ａ】
2019516660.tif 000019
【図１３Ｂ】
2019516660.tif 000020
【図１４Ａ】
2019516660.tif 000021
【図１４Ｂ】
2019516660.tif 000022
【国際調査報告】
2019516660.tif 000023
2019516660.tif 000024